(57)【要約】      （修正有）【課題】上面スリット付各種形式の道路側溝においてガタツキの生じにくく、ハイヒールかかとの落込み等がなく、高圧水による側溝内の清掃においてもスリットから路面への噴出のない安全で排水能力の高いスリット構造を得る。【解決手段】落蓋側溝においては側溝本体の蓋掛部隅角から内壁に沿って複数のハンチ付とし、蓋のセット時にあそびをもって収納されながら底面と底面両隅で固定状態を保ち、ガタツキが生じにくく載置される。また門型自由勾配側溝においては固定版間に上面と両側を同じく蓋掛する開口部とし、開口部両側上縁面左右のハンチに蓋両辺左右に設けたカットを係合させ、蓋セット時にあそびをもって収納されながら底面と四隅で固定してガタツキが生じにくく載置される。さらに上面のスリット、連続状態のスリット、連続スリットの何れにおいても呑口部の浅い位置の中間ステップを経てクランク状に落下排水する構造とする。【選択図】図１
2005133520.tif 000002
【特許請求の範囲】
【請求項１】
ハンチ（１２）をセットする蓋１個当り片側２以上となる複数箇所に設け、蓋底面着接部分での支承と併せ各ハンチにせり持ちされた蓋があそびなく収納載置されることを特徴とする側溝。
【請求項２】
スリット（１４）を下方に向ってクランク状に形成し、中間ステップ（１７）を設けるか隣接する蓋妻側相互の凹部（２１）（２１）によって中間ステップ付のクランク状スリットを形成することを特徴とする側溝用蓋。
【請求項３】
中間ステップ（１７）上のスリット呑口部にフィルター（２４）を組込むことを特徴とする請求項２記載の側溝用蓋。
【請求項４】
スリット（１４）を下方に向ってクランク状に形成し、中間ステップ（１７）を設けることを特徴とするスリット付側溝。
【請求項５】
中間ステップ（１７）上のスリット呑口部にフィルター（２４）を組込むことを特徴とする請求項４記載のスリット付側溝。
【発明の詳細な説明】
【技術分野】
【０００１】  この発明は、道路に連続して埋設されるプレキャストコンクリートによるスリット付側溝の技術分野に属し、詳しくは、上面に蓋掛する形式の側溝蓋のガタツキの防止と蓋掛の有無にかかわらず側溝上面の排水呑口スリット部の安全向上とに関する。
【背景技術】
【０００２】  従来から使用されている蓋掛側溝はＵ字溝の上部に蓋をセットする落蓋側溝と断面門型で上面の両端に固定版を有すとともに、上面の開口部に蓋をセットし、底部を全面開放として適宜に底部を形成する自由勾配側溝とがあり、いずれも上面に蓋をセットしているため、車両走行時においてガタツキ音が発生したり角欠けが生じやすく、ガタツキの対策としては、側溝本体と蓋との嵌合部にゴ厶材等の緩衝材を介在させる方法や、側溝本体と蓋との嵌合部の形状に工夫を施すことが多くなってきている。
また、最近では蓋を固定版と同一面同一幅としてセットするように開口部を形成した側溝本体を用い、側溝本体設置後に上面の開口部からコンクリートを投入して任意の排水勾配を自由に形成してのち蓋をセットして一体的に構成するものとし、蓋が両側面からアスファルト層や路盤材によって押えつけられることでガタツキの発生防止を図ろうとする方法も提案されている。【０００３】  路面水の落下排水には一般的に１．５〜５ｃｍ幅のスリットを呑口として側溝上面に形成しているので、歩行者の視線がスリットから側溝内底まで届いて危険を感じたり、さらにハイヒールが入りやすく、安全上の欠点となっており、蓋がなくガタツキの生じない頂版一体型の側溝においても共通の弱点とされている。【０００４】  そして、側溝上面の排水呑口の安全向上対策として、最近の例では路面排水機能を制限しスリットの幅を例えば１ｃｍ以下に縮小して歩行者のハイヒールが入りにくいものにしている。
【特許文献１】  特開平９−３０２７５８号公報
【特許文献２】  特開２００１−１２３５１９号公報
【特許文献３】  特開２００１−３１７１１５号公報
【特許文献４】  特開２００３−２０７１３号公報
【発明の開示】
【発明が解決しようとする課題】
【０００５】  しかしながら、ガタツキに関し従来の側溝本体と蓋とにゴム材等を介在させる場合は蓋底面の圧着は出来ても左右のあそびは残り、また、嵌合部の形状に工夫を施すものにおいては側溝本体、蓋とも特殊仕様品となり一般に供給されにくく落蓋側溝においては蓋の取外しや維持管理上においても好ましいものでない。また上面が固定版で両端が固定された門型形状の自由勾配側溝においては蓋セット後において開口部の両側壁天端がうすい厚さのまま露出し、この部分のみが車両走行時の摩耗によって損傷しやすく弱点となっており、【０００６】  また、単に蓋が側溝の両側面まで覆うものも開口部の弱点を除去することは出来ても、蓋が両側面でアスファルト層や路盤材で固定されることは僅少で、ガタツキの発生や車両走行時における騒音や角欠の防止には十分なものとなっていない。【０００７】  そして、排水口スリットに関しては、歩行者の視線が側溝内底まで届かないためのブラインドが必要であり、また一方において安全上、幅を縮小することは路面水の落下排水を減殺し蓋掛の有無にかかわらず道路側溝の機能を損うものとなっている。
【課題を解決するための手段】
【０００８】  本発明は上記したような従来技術における課題を解消するものであって落蓋側溝においては蓋をセットする側溝本体に両蓋掛部の隅角から内壁に高さの途中にすりつける斜めのリブ状ハンチを蓋１個当り片側２以上となる複数箇所に設け、また、自由勾配側溝においては蓋が両固定版と同一上面同一幅で左右にハンチ付の両側上に載置収納される開口部を形成した側溝本体を用い、側溝本体設置後に上面の開口部からコンクリートを投入して適宜に底部を形成し、その後、両辺の左右にカット付きの蓋を側溝本体両側の左右ハンチに各係合してセットする。【０００９】  そして、排水口のスリットは下方に向ってクランク状に形成し、上面から比較的浅い位置例えば１．５〜３ｃｍの深さに中間ステップを設ける。【００１０】  さらに必要に応じ、中間ステップ上のスリット呑口部にフィルターを組込んでスリットを閉塞したまま路面水の落下排水機能も保持するものである。
【発明の効果】
【００１１】  蓋使用においてもガタツキが無く、蓋のない一体型とも共通して上面にスリット付の道路側溝を安価容易に得ることができる。【００１２】  そして、スリットは中間ステップによって歩行者の視線が側溝内底に届かず、路面の危険感が除去されることに加え、車椅子、三輪車、ハイヒールのかかとなどの落込みに対しても中間ステップがスリットの浅い受底となり不安全が生じないので路面排水機能が低下することなく安全が向上する。【００１３】  さらに必要に応じ、スリットに透水コンクリート、透水樹脂コンクリート、透水アスファルト等のフィルターを組込む場合においても浅い中間ステップ上の一側に排出口が確保された状態で周囲を固定することになり、加えてフィルターの厚さがスリット呑口部内に限定されて過大にならず透水機能が保持される。
【発明を実施するための最良の形態】
【００１４】  蓋のガタツキが生じないようにするために、先ず蓋を連続してセットする落蓋側溝においては、蓋の左右が側溝本体内壁とに必要なあそびをもって収納されながら同時に底面が着接段階では各リブ状ハンチ毎に強弱はあっても全体としてせり持ちされ底面着接部分での支承と併せ両隅が固定状態に載置される。
また、両固定版の中間に蓋をセットする自由勾配側溝においては、前後の固定版と蓋とは必要なあそびをもって収納されながら同時に蓋両辺の左右カットが本体両側の左右ハンチに係合してせり持ちされ底面着接部分での支承と併せ固定状態に載置されるものである。【００１５】  そして、蓋掛側溝の上面となる蓋、蓋と蓋との接続部及び固定版に設ける排水のスリット並びに蓋のない一体型側溝さらに逆Ｕ型の蓋をＵ字溝と組合せる暗渠側溝の頂版に設ける排水のスリットは下方に向って上面から比較的浅い部分に中間ステップを設けたクランク状に形成される。
【実施例】
【００１６】  図１、図２、図３、図４、図５、図６に実施例の施工状態を示す。
図１は蓋収納両蓋掛部の隅角から内壁にリブ状ハンチを複数設けた側溝本体にスリット付の蓋をセットした落蓋側溝の実施例であり、図２は両蓋掛部を内側に設け隅角から内壁にリブ状ハンチを複数設けた側溝本体に蓋を接続部毎にフィルター組込スリットが形成されるようにセットした落蓋側溝の実施例  また図３はフィルター組込スリット付の両固定版の中間開口部両側の左右にハンチを設けた側溝本体にフィルター組込スリット付蓋を両辺の左右カットが側溝のハンチと各係合してセットされた自由勾配側溝の実施例、そして図４は両固定版の中間開口部両側の左右にハンチを設けた側溝本体にスリット付蓋を両辺の段差と左右カットが側溝両側上縁面の係止部と左右のハンチとで各係合してセットされた自由勾配側溝の実施例である。
さらに図５は上面に断続してフィルター組込スリット付としたボックス側溝の実施例であり、なおまた図６は上面に連続状態のスリット付とした円形側溝の実施例である。【００１７】  （１）は落蓋側溝、（２）は自由勾配側溝、（３）はボックス側溝、（４）は円形側溝、（５）は側溝本体、（６）は蓋である。
落蓋側溝（１）の側溝本体（５）は図１３、図１４に示すとおり、両蓋掛部（９）の隅角から内壁（１０）にリブ状ハンチ（１２）が複数個設けられている。
この実施例では、リブ状ハンチは台形断面の上辺が小さく三角形断面に近いものとなっている。
自由勾配側溝（２）の側溝本体（５）は図１５、図１６に示すとおり両端に固定版（７）（７）、中間に開口部（１１）があり、開口部の両側上縁面（１８）がセットする蓋の厚さに対応し、両固定版の上面と段差をなしており、両側の上縁面の左右にハンチ（１２）が設けられていて図１６の実施例では円弧状のハンチである。
さらに図１６に示すものは両側の上縁面に蓋との係止部（２０）がある。
なお、図１５に示すものは固定版（７）（７）の上面がゆるいＶ形をなしており、固定版にフィルター組込スリット（１４）を有している。
ボックス側溝（３）及び円形側溝（４）の側溝本体（５）は図１７，図１８に示すとおり蓋のない一体型で図１７に示すものは上面がゆるいＶ形でフィルター組込スリット（１４）が断続しており、図１８に示すものは上面が傾斜し、縁石ブロックと組合せるカット（１３）があり、連続状態のスリット（１４）が設けられている。【００１８】  落蓋側溝（１）の蓋（６）は図１９、図２０に示すとおり連続して側溝本体にセットするものであり、図１９に示すものは上面が連続状態のスリット（１４）に向ってゆるいＶ形をなしている。さらに図２０に示すものは上面がフラット面で隣接する蓋（６）（６）間でスリットの呑口部を形成する一方の妻側凹部（２１）にフィルター（２４）が組込まれており、他方の妻側にスリットの落下部を形成する凹部（２１）が設けられている。
自由勾配側溝（２）の蓋（６）は図２１、図２２に示すとおり側溝本体の両固定版中間の開口部にセットするものであり、上面が側溝本体の両固定版と同一面を形成するため図２１に示すものはゆるいＶ形をなしフィルター組込スリット（１４）（１４）が設けられている。さらに図２２に示すものはフラット面で中央部にスリット（１４）（１４）が設けてある。そして蓋（６）両辺の左右にカット（１３）（１３）及び底縁部に段差（１９）があり、側溝本体のハンチ及び係止部と対応する係止関係をもつよう形成されており、図２２の実施例ではハンチ面が本体との係合上円弧状となっている。【００１９】  側溝本体（５）に蓋（６）がセットされた状態を示す落蓋側溝（１）の断面図は図７、図８に示すとおりであり、蓋の収納部では両蓋掛部（９）（９）に蓋の下面が支承されると同時に隅角においてリブ状ハンチ（１２）（１２）により固定されたまま上方にあそびが形成されている。
さらに自由勾配側溝（２）における断面図は図９、図１０に示すとおりであり、開口部両側壁の上縁面（１８）（１８）に蓋の下面が支承されると同時に両辺部左右のカット（１３）（１３）が側溝のハンチ（１２）（１２）と係止関係をもち、固定されたまま上方にあそびが形成されている。
そして、ボックス側溝（３）及び円形側溝（４）における断面図は図１１、図１２に示すとおりである。【００２０】  蓋（６）がセットされた状態における落蓋側溝（１）の排水スリットの断面図は図２３に蓋のスリット（１４）を図２４に蓋と蓋の接続部分に形成されるスリット（１４）を示し、図２４のスリットは呑口部にフィルター（２４）が組込まれている。
スリットは上面の呑口から下った位置の中間ステップ（１７）部でスリットの呑口部（１５）と落下部（１６）とを遮るクランク状に形成され中間ステップは沈積やフィルター（２４）の目詰りが生じないようゆるい傾斜付となっている。
また、蓋（６）がセットされた状態における自由勾配側溝（２）の排水呑口スリットの断面図は図２５に蓋に設けた各フィルター（２４）組込のスリット（１４）を示し、図２６に固定版のスリット（１４）と蓋のスリット（１４）を示し、スリットは上面の呑口から下った位置の中間ステップ（１７）部でスリット呑口部（１５）と落下部（１６）とを遮るクランク状に形成され中間ステップは沈積やフィルターの目詰りが生じないようゆるい傾斜付となっている。
そして蓋と一体型のボックス側溝（３）及び円形側溝（４）の排水呑口スリットの断面図は図２７、図２８に示し、図２７の実施例においては呑口部にフィルター（２４）を組込んだスリット（１４）となっている。
スリット（１４）は上面の呑口から下った位置の中間ステップ（１７）部でスリット呑口部（１５）と落下部（１６）とを遮るクランク状に形成され中間ステップは沈積やフィルターの目詰りが生じないようゆるい傾斜となっている。【００２１】  このほか、中間ステップ（１７）を設けたクランク状のスリット（１４）の形成は樹脂製等のユニット（図示省略）を組込むことによっても可能である。
【産業上の利用可能性】
【００２２】  蓋掛側溝各部のハンチ、カット等の形成やフィルターの組込みは従来の生産方法の範囲内であり、すべての側溝上面に設けるクランク状のスリットについても上面からの抜テーパー付呑口部型枠片と下面からの抜テーパー付吐出部型枠片相互の中心線の中間ステップ分のギャップによって形成されるものであり特段の生産手段を必要としない。
【図面の簡単な説明】
【００２３】
【図１】落蓋側溝の実施例を示す切欠斜面図である。
【図２】落蓋側溝の実施例を示す切欠斜面図である。
【図３】自由勾配側溝の実施例を示す切欠斜面図である。
【図４】自由勾配側溝の実施例を示す切欠斜面図である。
【図５】ボックス側溝の実施例を示す切欠斜面図である。
【図６】円形側溝の実施例を示す切欠斜面図である．
【図７】図１のＡ〜Ａ線にそった断面図である。
【図８】図２のＡ〜Ａ線にそった断面図である。
【図９】図３のＡ〜Ａ線にそった断面図である。
【図１０】図４のＡ〜Ａ線にそった断面図である。
【図１１】図５のＡ〜Ａ線にそった断面図である。
【図１２】図６のＡ〜Ａ線にそった断面図である。
【図１３】図１の実施例における側溝本体の斜面図である。
【図１４】図２の実施例における側溝本体の斜面図である。
【図１５】図３の実施例における側溝本体の斜面図である。
【図１６】図４の実施例における側溝本体の斜面図である。
【図１７】図５の実施例における側溝本体の斜面図である。
【図１８】図６の実施例における側溝本体の斜面図である。
【図１９】図１の実施例における蓋の斜面図である。
【図２０】図２の実施例における蓋の斜面図である。
【図２１】図３の実施例における蓋の斜面図である。
【図２２】図４の実施例における蓋の斜面図である。
【図２３】図７の断面図におけるスリット部の拡大図である。
【図２４】図２の実施例におけるＢ〜Ｂ線にそったスリット部の拡大断面図である。
【図２５】図９の断面図におけるスリット部の拡大図である。
【図２６】図４の実施例におけるＢ〜Ｂ線にそったスリット部の拡大断面図である。
【図２７】図１１の断面図におけるスリット部の拡大図である。
【図２８】図１２の断面図におけるスリット部の拡大図である。
【符号の説明】
【００２４】  １    落蓋側溝
２    自由勾配側溝
３    ボックス側溝
４    円形側溝
５    側溝本体
６    蓋
７    固定版
８    頂版
９    蓋掛部
１０    内壁
１１    開口部
１２    ハンチ
１３    カット
１４    スリット
１５    呑口部
１６    落下部
１７    中間ステップ
１８    上縁面
１９    段差
２０    係止部
２１    凹部
２２    上面
２３    下面
２４    フィルター
２５    支梁
２６    基礎材
２７    縁石ブロック
２８    モルタル目地
２９    パッキン
３０    コンクリート
【図１】
2005133520.tif 000003
【図２】
2005133520.tif 000004
【図３】
2005133520.tif 000005
【図４】
2005133520.tif 000006
【図５】
2005133520.tif 000007
【図６】
2005133520.tif 000008
【図７】
2005133520.tif 000009
【図８】
2005133520.tif 000010
【図９】
2005133520.tif 000011
【図１０】
2005133520.tif 000012
【図１１】
2005133520.tif 000013
【図１２】
2005133520.tif 000014
【図１３】
2005133520.tif 000015
【図１４】
2005133520.tif 000016
【図１５】
2005133520.tif 000017
【図１６】
2005133520.tif 000018
【図１７】
2005133520.tif 000019
【図１８】
2005133520.tif 000020
【図１９】
2005133520.tif 000021
【図２０】
2005133520.tif 000022
【図２１】
2005133520.tif 000023
【図２２】
2005133520.tif 000024
【図２３】
2005133520.tif 000025
【図２４】
2005133520.tif 000026
【図２５】
2005133520.tif 000027
【図２６】
2005133520.tif 000028
【図２７】
2005133520.tif 000029
【図２８】
2005133520.tif 000030
【手続補正書】
【提出日】平成15年12月24日(2003.12.24)
【手続補正１】
【補正対象書類名】特許請求の範囲
【補正対象項目名】全文
【補正方法】変更
【補正の内容】
【特許請求の範囲】
【請求項１】
平面ないし曲面のハンチ（１２）をセットする蓋１個当り片側２以上となる複数箇所に設け、蓋底面着接部分での支承と併せ各ハンチにせり持ちされた蓋があそびなく収納載置されることを特徴とする側溝。
【請求項２】
スリット（１４）を下方に向ってクランク状に形成し、呑口部の底幅と同じかやや狭い幅の中間ステップ（１７）を設けるか、隣接する蓋妻側相互の凹部（２１）（２１）によって中間ステップ付のクランク状スリットを形成することを特徴とする側溝用蓋。
【請求項３】
中間ステップ（１７）上のスリット呑口部にフィルター（２４）を組込むことを特徴とする請求項２記載の側溝用蓋。
【請求項４】
スリット（１４）を下方に向ってクランク状に形成し、呑口部の底幅と同じかやや狭い幅の中間ステップ（１７）を設けることを特徴とするスリット付側溝。
【請求項５】
中間ステップ（１７）上のスリット呑口部にフィルター（２４）を組込むことを特徴とする請求項４記載のスリット付側溝。
【手続補正２】
【補正対象書類名】明細書
【補正対象項目名】０００３
【補正方法】変更
【補正の内容】
【０００３】  路面水の落下排水には一般的に１．５〜５ｃｍ幅のスリットを呑口として側溝上面に形成しているので、歩行者の視線がスリットから側溝内底まで届いて危険を感じたり、さらにハイヒールが入りやすく、安全上の欠点となっており、蓋がなくガタツキの生じない頂版一体型の側溝においても共通の弱点とされている。
なお加えて、側溝内の清掃において高圧水を用いる場合にはスリットから路面に噴出しやすいため維持管理において支障となることも指摘されている。
【手続補正３】
【補正対象書類名】明細書
【補正対象項目名】００１２
【補正方法】変更
【補正の内容】
【００１２】  そして、スリットは中間ステップによって歩行者の視線が側溝内底に届かず、路面の危険感が除去されることに加え、車椅子、三輪車、ハイヒールのかかとなどの落込みに対しても中間ステップがスリットの浅い受底となり不安全が生じないので路面排水機能が低下することなく安全が向上する。
なおまた、側溝内の清掃において高圧水を用いてもスリットから路面への噴出がなく維持管理に支障が生じない。
【手続補正４】
【補正対象書類名】明細書
【補正対象項目名】００２０
【補正方法】変更
【補正の内容】
【００２０】  蓋（６）がセットされた状態における落蓋側溝（１）の排水スリットの断面図は図２３に蓋のスリット（１４）を図２４に蓋と蓋の接続部分に形成されるスリット（１４）を示し、図２４のスリットは呑口部にフィルター（２４）が組込まれている。
スリットは上面の呑口から下った位置の中間ステップ（１７）部でスリットの呑口部（１５）と落下部（１６）とを遮るクランク状に形成され中間ステップは沈積やフィルター（２４）の目詰りが生じないようゆるい傾斜付となっており、中間ステップの幅は呑口部の底幅とほぼ一致している。
また、蓋（６）がセットされた状態における自由勾配側溝（２）の排水呑口スリットの断面図は図２５に蓋に設けた各フィルター（２４）組込のスリット（１４）を示し、図２６に固定版のスリット（１４）と蓋のスリット（１４）を示し、スリットは上面の呑口から下った位置の中間ステップ（１７）部でスリット呑口部（１５）と落下部（１６）とを遮るクランク状に形成され中間ステップは沈積やフィルターの目詰りが生じないようゆるい傾斜付で呑口部の底幅とほぼ一致したものとなっている。
そして蓋と一体型のボックス側溝（３）及び円形側溝（４）の排水呑口スリットの断面図は図２７、図２８に示し、図２７の実施例においては呑口部にフィルター（２４）を組込んだスリット（１４）となっている。
スリット（１４）は上面の呑口から下った位置の中間ステップ（１７）部でスリット呑口部（１５）と落下部（１６）とを遮るクランク状に形成され中間ステップは沈積やフィルターの目詰りが生じないようゆるい傾斜となっており、中間ステップの幅は呑口部の底幅よりやや狭いものとしてといる。